(57)【要約】      （修正有）【課題】キャップと筆記用具の先端側との密着性を従来よりも一層改善できる筆記用具の構成を提供する。【解決手段】インクを収容しているレフィール１の先端側に突設している筆記用先端パイプ２の周囲を伸縮自在であり、かつ先端側となるにしたがって先細りとなっているテーパー形状部を有している肩部３によってカバーする一方、外側キャップ６の内側において、開口部の端部付近の内壁にＯリング４を嵌入し、前記開口部の反対側に閉鎖面を有する片面的筒状の内側キャップ５を固着し、前記Ｏリング４は前記肩部３のテーパー形状部分と密着可能な径を有すると共に、前記閉鎖面においては当該開口部との間にて、前記密着が行われた場合、先端パイプ２が挿入可能な程度の奥行幅を有している筆記用具。【選択図】図３
0003132776.tif 000002
【実用新案登録請求の範囲】
【請求項１】
インクを収容しているレフィールの先端側に突設している筆記用先端パイプの周囲を伸縮自在であり、かつ先端側となるにしたがって先細りとなっているテーパー形状部を有している肩部によってカバーする一方、外側キャップの内側において、開口部の端部付近の内壁にＯリングを嵌入し、前記開口部の反対側に閉鎖面を有する片面的筒状の内側キャップを固着し、前記Ｏリングは前記肩部のテーパー形状部分と密着可能な径を有すると共に、前記閉鎖面においては当該開口部との間にて、前記密着が行われた場合、先端パイプが挿入可能な程度の奥行幅を有していることに基づく筆記用具。
【請求項２】
レフィールが外側ボディを兼用しており、一重のパイプ構造によってインクを収容していることを特徴とする請求項１記載の筆記用具。
【請求項３】
外側キャップに突設したクリップの嵌入側方向先端部又はその付近に、外側キャップの長手方向の中心軸側に向いた小突起を設ける一方、小突起がクリップの曲げ弾性に基づいて外側キャップに設けた孔に突入することによって筆記具本体に当接することができることを特徴とする請求項１，２の何れかに記載の筆記用具。
【請求項４】
外側キャップに突設したクリップの嵌入側方向先端部又はその付近に、外側キャップの中心軸方向に向いた小突起を設ける一方、クリップの先端の位置を前記中心軸方向に沿って外側キャップの開口部よりも更に突出した状態とし、小突起がクリップの曲げ弾性に基づいて外側に直接突設することができることを特徴とする請求項１，２の何れかに記載の筆記用具。
【考案の詳細な説明】
【技術分野】
【０００１】
本考案は、インクを収容しているレフィール及び当該レフィールの先端側に突設されている筆記用先端パイプが設けられているボールペン又はサインペン等の筆記用具に関するものである。
【背景技術】
【０００２】
前記筆記用具によって筆記を行っている場合には、先端パイプを介してインクが流出し、当該流出したインクの容積部分だけレフィール内部に空気を充填させており、そのためにはレフィールに空気が透過し得る一方、インクの表面張力によってインクが流出し得ない程度の微細な空気孔が設けられている。
【０００３】
前記筆記用具においては、筆記を行っていない段階におけるインクの蒸発を防止するために、キャップによって先端のパイプを密着状態とすることが要求されている。
【０００４】
このような要求に対応するため、出願人は既に特願2004-241115号における構成を提唱しており、当該出願は特許文献１に示すように既に公開されている。
【０００５】
前記特許文献１は、「ペン先の後側周囲に位置しているテーパー部と、キャップ内における内キャップの先端に設けられている逆テーパー部とが嵌合し合うボールペンであって、該テーパー部に円輪状の凹溝を設け、当該凹溝にＯリングを、当該凹溝から突出した状態にて張設し、かつ当該Ｏリングは、テーパー部と逆テーパー部とを嵌合自在とする程度の伸縮性、及び断面形状を有することに基づくボールペン」を基本構成としている。
【０００６】
しかしながら、前記先行技術の場合には、ペン先におけるテーパー部と、内キャップの先端部における逆テーパー部については、通常伸縮自在ではない素材が採用されており、このため、Ｏリングを介した相互の密着状態は必ずしも十分なものではなかった。
【０００７】
しかも、ペン先である先端パイプの後側周囲にＯリングを設けることは、平坦かつスマートであることが要求される筆記具のデザインとして、決して好ましいものではない。
【０００８】
【特許文献１】特開２００６−５６１５９号公報
【考案の開示】
【考案が解決しようとする課題】
【０００９】
本考案は、キャップと筆記用具の先端側との密着性を従来技術よりも一層改善できる筆記用具の構成を提供することを課題としている。
【課題を解決するための手段】
【００１０】
前記課題を解決するため本考案の基本構成は、インクを収容しているレフィールの先端側に突設している筆記用先端パイプの周囲を伸縮自在であり、かつ先端側となるにしたがって先細りとなっているテーパー形状部を有している肩部によってカバーする一方、外側キャップの内側において、開口部の端部付近の内壁にＯリングを嵌入し、前記開口部の反対側に閉鎖面を有する片面的筒状の内側キャップを固着し、前記Ｏリングは前記肩部のテーパー形状部分と密着可能な径を有すると共に、前記閉鎖面においては当該開口部との間にて、前記密着が行われた場合、先端パイプが挿入可能な程度の奥行幅を有していることに基づく筆記用具からなる。
【考案の効果】
【００１１】
前記基本構成に基づく本考案においては、パイプ周囲をカバーしている伸縮自在の肩部をＯリングが密着することによって筆記していない段階におけるインクの蒸発を十分防止することが可能である。
【００１２】
しかも実施例１及び同２記載のように外側キャップのクリップの先端、又はその付近に小突起を設けた場合には、筆記段階における筆記具本体と外側キャップとの嵌着を十分堅固な状態とすることができる。
【考案を実施するための最良の形態】
【００１３】
図３は、前記基本構成に基づく本考案の典型的な実施形態を示しており、先端となるにしたがって先細り形状を呈しているテーパー部を有している伸縮自在の素材による肩部３に対し、内側キャップ５の開口側付近の内壁に嵌入されているＯリング４が当接することによって、密着状態を形成している。
【００１４】
但し、筆記に伴って先端側のパイプ２からインクが流出した場合には、レフィール１内に流出したインクの容積を空気によって補填することが必要であり、このため、レフィール１は一方では空気の透過が可能であり、他方ではインクの表面張力によってインクが外部に漏洩しないような隙間による空気透過孔（図示せず）を設けることを不可欠としている。
このため、前記肩部３と先端側のパイプ２との間には通常隙間（図示せず）が存在しており、前記インク透過孔と連通状態となっており、筆記段階において空気は順次隙間及び空気透過孔を介してレフィール１内部に移行し、かつレフィール１を充填している。
【００１５】
筆記を行っていない段階において、内側キャップ５のＯリング４と肩部３のテーパー部とが密着した場合には、本来肩部３が伸縮自在な素材であるため、Ｏリング４は肩部３のテーパー部に食い込んだ状態となり、極めて堅固な密着状態を形成し、先端パイプ２からインクが蒸発することを殆ど完全に防止することが可能となる。
【００１６】
伸縮自在な素材としては、熱可塑性エラストマー等の合成ゴム、天然ゴムをその典型例として挙げることができる。
【００１７】
通常、レフィール１は筆記体の内側においてインクを収容する機能に終始し、手指によって把持するための外側ボディ１０が、図１に示すようにレフィール１の外側に別途設けられている。
しかしながら、本考案においては、必ずしも外側ボディ１０を必要不可欠としている訳ではなく、レフィール１を外側ボディ１０と兼用させ、インクを一重の壁によって収容する実施形態を採用することも可能である。
【００１８】
但し、前記兼用による実施形態の場合には、肩部３の後端側とレフィール１の先端側とを略同一の径とすることによって、自然な外観を得ることができる。
【００１９】
以下、実施例に即して説明する。
【実施例１】
【００２０】
実施例１は、図１に示すように外側キャップ６に突設したクリップ７の嵌入側方向先端部又はその付近に、外側キャップ６の長手方向の中心軸側に向いた小突起７１を設ける一方、小突起７１がクリップ７の曲げ弾性に基づいて外側キャップ６に設けた孔に突入することによって筆記具本体に当接することができることを特徴としている。
【００２１】
このように、クリップ７の先端又はその付近に設けた小突起７１が外側キャップ６に設けた孔に突入し、かつ突出した場合には、筆記段階、又は筆記していない段階において外側キャップ６を筆記具本体に嵌着させた場合、当該小突起７１は、筆記具本体にクリップ７が有している曲げ弾性力を以って当接し、外側キャップ６と筆記具本体との堅固な嵌着を実現することができる。
【００２２】
更には、外側キャップ６を筆記具本体の先端側に嵌着させ、しかもクリップ７と外側キャップ６との間にポケットの溝１１を相通させた場合においても、当該ポケットの溝１１を介して外側キャップ６と筆記具本体との堅固な嵌着を実現することができる。
【実施例２】
【００２３】
実施例２は、図２に示すように外側キャップ６に突設したクリップ７の嵌入側方向先端部又はその付近に、外側キャップ６の中心軸方向に向いた小突起７１を設ける一方、クリップ７の先端の位置を前記中心軸方向に沿って外側キャップ６の開口部よりも更に突出した状態とし、小突起７１がクリップ７の曲げ弾性に基づいて外側に直接突設することができることを特徴としている。
【００２４】
実施例２においても、実施例１の場合と同様にクリップ７の中心軸方向に向かう曲げ弾性力によって、筆記具本体と外側キャップ６との堅固な嵌着を実現している。
【００２５】
但し、実施例２の場合には、クリップ７の先端が外側キャップ６の開口側よりも更に中心軸方向に沿って突出した状態としているので、実施例１のように、外側キャップ６に小突起７１が孔を介して筆記具本体と当接するのではなく、直接筆記具本体に当接することになる。
【００２６】
図２においては、筆記具本体の後端側に小突起７１が嵌入する溝１１を設けており、当該嵌入によって外側キャップ６と筆記具本体との間にて更に堅固な嵌着を実現しているが、当該溝１１は実施例１においても当然採用可能である。
【産業上の利用可能性】
【００２７】
本考案は、ボールペン、サインペン等のレフィールを採用している筆記具の製造分野において須く利用することが可能である。
【図面の簡単な説明】
【００２８】
【図１】実施例１の構成を示す側断面図である（曲線状の矢印はクリップにおいて生じている曲げ弾性の方向を示す。尚、レフィール及び内側キャップの図示は省略されている。）。
【図２】実施例２の構成を示す側断面図である（曲線状の矢印はクリップにおいて生じている曲げ弾性の方向を示す。尚、レフィール及び内側キャップの図示は省略されている。）。
【図３】本考案の実施形態を即断面図である。
【符号の説明】
【００２９】
１    レフィール
２    先端側のパイプ
２１    先端におけるパイプの太型根元部分
２２    先端におけるパイプの細型先端部分
３    肩部
４    Ｏリング
５    内側キャップ
６    外側キャップ
６１    小孔
７    クリップ
７１    小突起
１０    外側ボディ
１１    溝
【図１】
0003132776.tif 000003
【図２】
0003132776.tif 000004
【図３】
0003132776.tif 000005